(57)【要約】携帯電話の周波数帯が共振するアンテナエレメント１ａの先端にコイル１ｂを配設し、アンテナエレメント１ａとコイル１ｂとを合わせた実効長をＦＭ放送の周波数帯が共振する長さとなるように設定することにより、コイル１ｂが、ＦＭ放送の周波数帯に対してはマッチングがとられて低インピーダンスとして作用し、ＦＭ放送の周波数帯よりも高い携帯電話の周波数帯に対しては高インピーダンスとして作用するようにして、当該コイル１ｂを、ＦＭ放送の周波数帯を通過させるマッチング用のコイルと、携帯電話の周波数帯の通過を阻止するトラップ用のコイルとを兼用できるようにする。【特許請求の範囲】
【請求項１】
第１の処理部により処理される信号に係る第１の周波数帯が共振するアンテナエレメントと、
上記アンテナエレメントと上記第１の周波数帯よりも低い第２の周波数帯の信号を処理する第２の処理部との間に直列に配設されたコイルとを備え、
上記アンテナエレメントと上記コイルとを合わせた実効長を、上記第２の周波数帯が共振する長さとなるように設定したことを特徴とする携帯端末用アンテナ。
【請求項２】
上記アンテナエレメントと上記第２の処理部との間に配設されたコンデンサを備えることを特徴とする請求の範囲第１項に記載の携帯端末用アンテナ。
【請求項３】
第１の処理部により処理される信号に係る第１の周波数帯が共振するアンテナエレメントと、
上記アンテナエレメントと上記第１の周波数帯よりも低い第２の周波数帯の信号を処理する第２の処理部との間に直列に配設されたコイルと、
上記アンテナエレメントと上記第１の処理部との間に直列に配設されたコンデンサとを備え、
上記アンテナエレメントと上記コイルとを合わせた実効長を、上記第２の周波数帯が共振する長さとなるように設定したことを特徴とする携帯端末用アンテナ。
【請求項４】
上記アンテナエレメントと上記第１の処理部との間に配設された第２のコイルを備えることを特徴とする請求の範囲第２項に記載の携帯端末用アンテナ。
【請求項５】
第１の処理部により処理される信号に係る第１の周波数帯が共振するアンテナエレメントと、
上記アンテナエレメントと上記第１の周波数帯よりも低い第２の周波数帯の信号を処理する第２の処理部との間に直列に配設されたコイルと、
上記アンテナエレメントと上記第１の処理部との間に配設された第２のコイルとを備え、
上記アンテナエレメントと上記コイルとを合わせた実効長を、上記第２の周波数帯が共振する長さとなるように設定したことを特徴とする携帯端末用アンテナ。
【請求項６】
上記第１の周波数帯はＵＨＦ帯、上記第２の周波数帯はＶＨＦ帯であることを特徴とする請求の範囲第１項に記載の携帯端末用アンテナ。
【請求項７】
上記第１の周波数帯はＵＨＦ帯、上記第２の周波数帯はＶＨＦ帯であることを特徴とする請求の範囲第３項に記載の携帯端末用アンテナ。
【請求項８】
上記第１の周波数帯はＵＨＦ帯、上記第２の周波数帯はＶＨＦ帯であることを特徴とする請求の範囲第５項に記載の携帯端末用アンテナ。
【請求項９】
第１の周波数帯の信号の送信および受信の少なくとも何れか一方に関する処理を行う第１の処理部と、
上記第１の周波数帯よりも低い第２の周波数帯の信号の送信および受信の少なくとも何れか一方に関する処理を行う第２の処理部と、
上記第１の周波数帯が共振するアンテナエレメントと、
上記アンテナエレメントと上記第２の処理部との間に直列に配設されたコイルとを備え、
上記アンテナエレメントと上記コイルとを合わせた実効長が、上記第２の周波数帯が共振する長さとなるように設定されており、
上記第１の処理部は、上記アンテナエレメントと上記コイルの一端との接続ノードに当たる上記アンテナエレメントの末端に接続され、上記第２の処理部は、上記コイルの他端に接続されて成ることを特徴とする携帯端末。
【請求項１０】
上記アンテナエレメントと上記第２の処理部との間に配設されたコンデンサを更に備えることを特徴とする請求の範囲第９項に記載の携帯端末。
【請求項１１】
第１の周波数帯の信号の送信および受信の少なくとも何れか一方に関する処理を行う第１の処理部と、
上記第１の周波数帯よりも低い第２の周波数帯の信号の送信および受信の少なくとも何れか一方に関する処理を行う第２の処理部と、
上記第１の周波数帯が共振するアンテナエレメントと、
上記アンテナエレメントと上記第２の処理部との間に直列に配設されたコイルと、
上記アンテナエレメントと上記第１の処理部との間に直列に配設されたコンデンサとを備え、
上記アンテナエレメントと上記コイルとを合わせた実効長が、上記第２の周波数帯が共振する長さとなるように設定されており、
上記第１の処理部は、上記アンテナエレメントと上記コイルの一端との接続ノードに当たる上記アンテナエレメントの末端に上記コンデンサを介して接続され、上記第２の処理部は、上記コイルの他端に接続されて成ることを特徴とする携帯端末。
【請求項１２】
上記アンテナエレメントと上記第１の処理部との間に配設された第２のコイルを更に備えることを特徴とする請求の範囲第１１項に記載の携帯端末。
【請求項１３】
上記アンテナエレメントと上記第１の処理部との間に配設された第２のコイルを上記コンデンサに代えて備えることを特徴とする請求の範囲第１１項に記載の携帯端末。
【発明の詳細な説明】
【技術分野】  本発明は携帯端末用アンテナおよびこれを備えた携帯端末に関し、特に、２つの異なる周波数帯の信号を受信または送信する機能を内蔵した携帯端末およびこれに備える兼用アンテナに用いて好適なものである。
【背景技術】  近年、携帯電話機は広く普及し、多機能化が進むとともに多様なサービスが提供されている。最近では、ＦＭ放送の受信機能を内蔵した携帯電活機も開発され、提供されている。この種の携帯電話機では、通話用の音声通信に８００Ｍ〜２ＧＨｚの周波数帯を使用し、ＦＭ放送の受信に７６Ｍ〜１０８ＭＨｚの周波数帯を使用する。そのため、それぞれの周波数帯に合った、異なる２つのアンテナが必要になる。
従来は、通話の音声通信用には、剛性のあるロッド型アンテナが用いられ、通話時にはこれを筐体内から長く伸ばして使用していた。一方、ＦＭ放送の受信用には、フレキシブルなコードによって構成されるイヤホン型アンテナを用いるのが一般的であった。ところが、イヤホン型アンテナの場合は、コードが１メートルほどと長いため、使用時にコードが絡まったり、縒たりすることがあって不便であった。また、その結果、受信感度が低下してしまうこともあった。
これに対して、車載用のアンテナではあるものの、１本のアンテナで、携帯電話用の周波数帯の送受信とＦＭ放送用の周波数帯の受信とができるようにした兼用アンテナが提案されている（例えば、特許文献１，２参照）。
【特許文献１】特開平７−９４９２９号公報
【特許文献２】特開２００３−８７０３０号公報
これら特許文献１，２に記載の車載用アンテナは、携帯電話用の周波数帯が共振する第１のアンテナエレメントの先端にトラップ用コイルの一端を接続するとともに、このトラップ用コイルの他端に第２のアンテナエレメントを接続し、第１のアンテナエレメントの基端から第２のアンテナエレメントの先端までの実効長をＦＭ放送周波数帯の１／４波長に設定して構成されている。この車載用アンテナによれば、携帯電話用の周波数帯の送受信とＦＭ放送用の周波数帯の受信とが、剛性のあるロッド型アンテナだけで実現できるので、使用に便利であり、かつ受信感度も安定する。
【発明の開示】
しかしながら、上記特許文献１，２に記載された従来の技術では、携帯電話の周波数帯用に配設された第１のアンテナエレメントの他に、ＦＭ放送の周波数帯の受信を可能とするために第２のアンテナエレメントを配設する必要がある。さらに、これに加えて、第１のアンテナエレメントと第２のアンテナエレメントとの間には、携帯電話用の周波数帯の通過を阻止できるがＦＭ放送用の周波数帯の通過は阻止しないように設定したトラップ用コイルを配設する必要がある。そのため、アンテナ自体が大掛かりなものとなり、これをそのまま携帯端末のアンテナとしては用いることができない。よって、携帯端末のアンテナとして使用できるように改良する必要がある。
本発明は、このような実情に鑑みて成されたものであり、２つの異なる周波数帯の信号を送受信する機能を内蔵した携帯端末に適用することが可能な、当該２つの異なる周波数帯に兼用のアンテナを提供することを目的とする。
上記した課題を解決するために、本発明の携帯端末用アンテナは、第１の周波数帯（例えば、ＵＨＦ帯）が共振するアンテナエレメントの先端にコイルを配設し、アンテナエレメントとコイルとを合わせた実効長を、第１の周波数帯よりも低い第２の周波数帯（例えば、ＶＨＦ帯）が共振する長さとなるように設定している。
また、本発明の携帯端末は、上述の携帯端末用アンテナと、第１の周波数帯の信号の送信および受信の少なくとも何れか一方に関する処理を行う第１の処理部と、第２の周波数帯の信号の送信および受信の少なくとも何れか一方に関する処理を行う第２の処理部とを備え、第１の処理部は、アンテナエレメントとコイルの一端との接続ノードに当たるアンテナエレメントの末端に接続し、第２の処理部はコイルの他端に接続している。
本発明の他の態様では、アンテナエレメントの先端にコイルを配設することに加えて、アンテナエレメントと第２の処理部との間にコンデンサを配設している。
本発明の他の態様では、アンテナエレメントの先端にコイルを配設することに加えて、アンテナエレメントと第１の処理部との間に、コンデンサを直列に配設、または、第２のコイルを配設している。
上記のように構成した本発明によれば、第１の周波数帯に共振するアンテナエレメントの先端に配設したコイルが、当該アンテナエレメントと一体となって第２の周波数帯に共振するためのマッチング用と、第１の周波数帯の通過を阻止するためのトラップ用とを兼ねることになり、従来のように第２のアンテナエレメントとトラップ用コイルとを別々に設ける必要がなくなる。言い換えると、携帯電話機が一般的に備えているアンテナエレメントに対してコイルを接続するだけで、携帯電話用の周波数帯とＦＭ放送用の周波数帯といった２つの異なる周波数帯の信号を安定的に送受信することが可能となる。
本発明の他の特徴によれば、アンテナエレメントと第２の処理部との間に配設されたコンデンサが、第２の処理部に対して第２の周波数帯の信号のみを選択的に通過させるように作用することとなる。これにより、第１の周波数帯の信号が第２の処理部に混入してしまうことをより確実に防ぐことができ、２つの異なる周波数帯の信号を安定的に送受信することが可能となる。
また、本発明の他の特徴によれば、アンテナエレメントと第１の処理部との間に配設されたコンデンサまたはコイルが、第１の処理部に対して第１の周波数帯の信号のみを選択的に通過させるように作用することとなる。これにより、第２の処理部から送出された第２の周波数帯の信号が第１の処理部に混入してしまうことを防ぐことができ、２つの異なる周波数帯の信号を安定的に送受信することが可能となる。
【図面の簡単な説明】  図１は、第１の実施形態による携帯端末用アンテナを適用したＦＭ放送受信機能内蔵携帯電話機の概略的な構成例を示す図である。
図２は、第２の実施形態による携帯端末用アンテナを適用したＦＭ放送受信機能内蔵携帯電話機の概略的な構成例を示す図である。
図３は、第３の実施形態による携帯端末用アンテナを適用したＦＭ変調送信機能内蔵携帯電話機の概略的な構成例を示す図である。
図４は、第４の実施形態による携帯端末用アンテナを適用したＦＭ変調送信機能内蔵携帯電話機の概略的な構成例を示す図である。
図５は、電波と周波数帯の代表的な利用例を示す図である。
【発明を実施するための最良の形態】（第１の実施形態）
以下、本発明の一実施形態を図面に基づいて説明する。図１は、第１の実施形態による携帯端末用アンテナを適用したＦＭ放送受信機能内蔵携帯電話機１０の概略的な構成例を示す図である。図１に示すように、ＦＭ放送受信機能内蔵携帯電話機１０は、本実施形態の携帯端末用アンテナ１と、携帯電話部２と、ＦＭチューナ部３とを備えて構成されている。
携帯電話部２は、携帯電話の通話に関する処理を行うものであり、例えば携帯電話用の周波数帯（本発明の第１の周波数帯に相当）である８００Ｍ〜２ＧＨｚの音声信号の送受信を行う。この携帯電話部２は本発明の第１の処理部に相当する。なお、携帯電話部２の内部構成としては公知の回路を適用することが可能であるので、ここではその詳細な説明は割愛する。
ＦＭチューナ部３は、ＦＭ放送の受信に関する処理を行うものであり、例えばＦＭ放送用の周波数帯（本発明の第２の周波数帯に相当）である７６Ｍ〜１０８ＭＨｚのＦＭ放送の受信を行う。このＦＭチューナ部３は本発明の第２の処理部に相当する。なお、このＦＭチューナ部３の内部構成としては公知の回路を適用することが可能であるので、ここではその詳細な説明は割愛する。
本実施形態のアンテナ１は、通常の携帯電話機が一般的に備えているアンテナエレメント１ａ（ロッド型アンテナ）と、本実施形態において新たに追加したコイル１ｂとを備えて構成されている。図１の例で、アンテナエレメント１ａは、その先端部にローディングコイルを配設したトップ・ローディングの構成となっている。なお、アンテナエレメント１ａはトップ・ローディングに限らず、センター・ローディングなど他の構成となっていても良い。
アンテナエレメント１ａは、携帯電話用の周波数帯が共振するように、当該アンテナエレメント１ａの実効長が携帯電話用の周波数帯の略１／４波長となるように設定されている。このアンテナエレメント１ａの末端（トップローディングコイルが設けられている方と逆の端）に、コイル１ｂ（例えば、ローディングコイル）を接続している。そして、ＦＭ放送用の周波数帯が共振するように、アンテナエレメント１ａとコイル１ｂとを合わせた実効長を、ＦＭ放送用の周波数帯の略１／４波長となるように設定している。
上述した携帯電話部２は、コイル１ｂの一端Ａ（具体的には、アンテナエレメント１ａとコイル１ｂとの接続ノードに当たるアンテナエレメント１ａの末端）に接続されている。また、上述したＦＭチューナ部３は、コイル１ｂの他端Ｂ（具体的には、アンテナエレメント１ａとコイル１ｂとを合わせたアンテナ１の末端）に接続されている。これにより、コイル１ｂは、携帯電話部２とＦＭチューナ部３との間に接続される形となっている。ここで、コイル１ｂの一端Ａには使用周波数帯が高い方の携帯電話部２を接続し、コイル１ｂの他端Ｂには使用周波数帯が低い方のＦＭチューナ部３を接続することに注意されたい。
このように携帯電話部２とＦＭチューナ部３との間に接続されたコイル１ｂのインダクタンスは、携帯電話用の周波数帯の通過は阻止するが、ＦＭ放送用の周波数帯の通過は阻止しないような値となる。すなわち、コイル１ｂは、アンテナエレメント１ａと一体となってＦＭ放送用の周波数帯と共振するようにマッチングがとられているので、ＦＭ放送用の周波数帯に対しては低インピーダンスとして作用する。一方、携帯電話用の周波数帯はＦＭ放送用の周波数帯に比べて非常に高いため、携帯電話用の周波数帯に対してコイル１ｂは高インピーダンスとして作用する。つまり、コイル１ｂは、ＦＭ放送用の周波数帯を通過させるマッチング用のコイルと、携帯電話用の周波数帯の通過を阻止するトラップ用のコイルとを兼用することになる。
以上詳しく説明したように、第１の実施形態によれば、携帯電話用の周波数帯に共振するアンテナエレメント１ａの先端に配設したコイル１ｂが、当該アンテナエレメント１ａと一体となってＦＭ放送用の周波数帯に共振するためのマッチング用と、携帯電話用の周波数帯の通過を阻止するためのトラップ用とを兼ねることになる。これにより、携帯電話機が一般的に備えているアンテナエレメント１ａに対してコイル１ｂを接続するだけで、携帯電話用の周波数帯とＦＭ放送用の周波数帯といった２つの異なる周波数帯の信号を安定的に受信または送受信することができるようになる。
（第２の実施形態）
次に、本発明の第２の実施形態について説明する。図２は、第２の実施形態による携帯端末用アンテナを適用したＦＭ放送受信機能内蔵携帯電話機２０の概略的な構成例を示す図である。なお、この図２において、図１に示した符号と同一の符号を付したものは同一の機能を有するものであるので、ここでは重複する説明を省略する。
図２に示すように、第２の実施形態による携帯端末用アンテナ１は、上述したアンテナエレメント１ａおよびコイル１ｂに加え、コンデンサ１ｃを備えて構成されている。コンデンサ１ｃは、その一端がコイル１ｂの他端ＢとＦＭチューナ部３との間に接続され、他端が接地されている。なお、コンデンサ１ｃは、アンテナエレメント１ａの末端Ａとコイル１ｂとの間に接続しても良い。
このように携帯電話部２とＦＭチューナ部３との間に接続されたコンデンサ１ｃは、携帯電話用の周波数帯の信号のみを吸収する素子として機能する。すなわち、コンデンサ１ｃは、ＦＭ放送用の低い周波数帯に対しては高インピーダンスとして作用するため、ＦＭ放送用の信号はコンデンサ１ｃから接地点に流れることがない。一方、コンデンサ１ｃは、携帯電話用の高い周波数帯に対しては低インピーダンスとして作用し、接地点との間をショートするため、携帯電話用の信号を吸収してＦＭチューナ部３には供給されないようにする。
以上詳しく説明したように、第２の実施形態によれば、携帯電話部２とＦＭチューナ部３との間に接続されたコンデンサ１ｃが、携帯電話用の周波数帯の信号のみを選択的に吸収する素子として機能することになる。これにより、コイル１ｂによって携帯電話用の周波数帯の信号を阻止し切れないことが仮にあっても、漏れてきた携帯電話用の周波数帯の信号をコンデンサ１ｃによって吸収することができる。したがって、携帯電話機が一般的に備えているアンテナエレメント１ａに対してコイル１ｂとコンデンサ１ｃを接続するだけで、携帯電話用の周波数帯とＦＭ放送用の周波数帯といった２つの異なる周波数帯の信号を安定的に送受信することができるようになる。
（第３の実施形態）
次に、本発明の第３の実施形態について説明する。図３は、第３の実施形態による携帯端末用アンテナを適用したＦＭ変調送信機能内蔵携帯電話機３０の概略的な構成例を示す図である。なお、この図３において、図１に示した符号と同一の符号を付したものは同一の機能を有するものであるので、ここでは重複する説明を省略する。
図３に示すように、ＦＭ変調送信機能内蔵携帯電話機３０は、本実施形態の携帯端末用アンテナ１と、携帯電話部２と、ＦＭトランスミッタ部４とを備えて構成されている。ＦＭトランスミッタ部４は、音声信号をＦＭ帯域（７６Ｍ〜１０８ＭＨｚの周波数帯）の電波に周波数変換してアンテナ１から外部へ無線送信するものである。ここで送信する音声信号は、ＦＭ変調送信機能内蔵携帯電話機３０の内部で生成されたものであっても良いし、図示しないインタフェース部を通じて外部から入力したものであっても良い。
第３の実施形態によるアンテナ１は、通常の携帯電話機が一般的に備えているアンテナエレメント１ａと、本実施形態において新たに追加したコイル１ｂおよびコンデンサ１ｄとを備えて構成されている。コンデンサ１ｄは、アンテナエレメント１ａとコイル１ｂとの接続ノードに当たるアンテナエレメント１ａの末端Ａと携帯電話部２との間に接続されている。これにより、コンデンサ１ｄは、アンテナエレメント１ａと携帯電話部２との間に直列に接続される形となっている。
このようにアンテナエレメント１ａと携帯電話部２との間に接続されたコンデンサ１ｄは、ＦＭ変調されたＦＭ周波数帯の通過は阻止するが、携帯電話用の周波数帯の通過は阻止しないように機能する。すなわち、コンデンサ１ｄは、ＦＭの低い周波数帯に対しては高インピーダンスとして作用し、ＦＭ周波数帯の信号の通過を遮断する。一方、携帯電話用の高い周波数帯に対しては低インピーダンスとして作用し、携帯電話用の周波数帯の信号は通過させる。
以上詳しく説明したように、第３の実施形態によれば、携帯電話用の周波数帯に共振するアンテナエレメント１ａの先端に配設したコイル１ｂが、当該アンテナエレメント１ａと一体となってＦＭの周波数帯に共振するためのマッチング用と、携帯電話用の周波数帯の通過を阻止するためのトラップ用とを兼ねている。また、アンテナエレメント１ａと携帯電話部２との間に接続されたコンデンサ１ｄが、携帯電話用の周波数帯の信号のみを選択的に通過させる素子として機能している。
これにより、携帯電話機が一般的に備えているアンテナエレメント１ａに対してコイル１ｂとコンデンサ１ｄを接続するだけで、携帯電話用の周波数帯とＦＭ変調送信用の周波数帯といった２つの異なる周波数帯の信号を安定的に送受信することができる。すなわち、携帯電話用の周波数帯の信号がＦＭトランスミッタ部４に対して通過してしまうことを阻止するとともに、ＦＭトランスミッタ部４でＦＭ変調されたＦＭ周波数帯の信号が送信時に携帯電話部２に対して通過してしまうことを阻止することができる。
なお、ここでは、携帯電話部２とＦＭチューナ部３との間にコイル１ｂのみを接続する例について説明したが、第２の実施形態と同様にコンデンサ１ｃを更に接続するようにしても良い。
（第４の実施形態）
次に、本発明の第４の実施形態について説明する。図４は、第４の実施形態による携帯端末用アンテナを適用したＦＭ変調送信機能内蔵携帯電話機４０の概略的な構成例を示す図である。なお、この図４において、図３に示した符号と同一の符号を付したものは同一の機能を有するものであるので、ここでは重複する説明を省略する。
図４に示すように、第４の実施形態による携帯端末用アンテナ１は、上述したアンテナエレメント１ａ、コイル１ｂおよびコンデンサ１ｄに加え、第２のコイル１ｅを備えて構成されている。第２のコイル１ｅは、その一端がコンデンサ１ｄと携帯電話部２との間に接続され、他端が接地されている。なお、第２のコイル１ｅは、アンテナエレメント１ａの末端Ａとコンデンサ１ｄとの間に接続しても良い。
このようにアンテナエレメント１ａと携帯電話部２との間に接続された第２のコイル１ｅは、ＦＭ周波数帯の信号のみを吸収する素子として機能する。すなわち、第２のコイル１ｅは、ＦＭ変調送信用の低い周波数帯に対しては低インピーダンスとして作用し、接地点との間をショートするため、ＦＭ周波数帯の信号を吸収して携帯電話部２には供給されないようにする。一方、第２のコイル１ｅは、携帯電話用の高い周波数帯に対しては高インピーダンスとして作用するため、携帯電話用の信号は第２のコイル１ｅから接地点に流れることがなく、携帯電話部２に通過する。
以上詳しく説明したように、第４の実施形態によれば、アンテナエレメント１ａと携帯電話部２との間に接続された第２のコイル１ｅが、ＦＭ周波数帯の信号のみを選択的に吸収する素子として機能することになる。これにより、コンデンサ１ｄによってＦＭ周波数帯の信号を阻止し切れないことが仮にあっても、漏れてきたＦＭ周波数帯の信号を第２のコイル１ｅによって吸収することができる。したがって、携帯電話機が一般的に備えているアンテナエレメント１ａに対してコイル１ｂとコンデンサ１ｄと第２のコイル１ｅを接続するだけで、携帯電話用の周波数帯とＦＭ変調送信用の周波数帯といった２つの異なる周波数帯の信号を安定的に送受信することができるようになる。
なお、上記第４の実施形態では、携帯電話部２とＦＭトランスミッタ部４との間にコイル１ｂのみを接続する例について説明したが、第２の実施形態と同様にコンデンサ１ｃを更に接続するようにしても良い。
また、上記第４の実施形態では、アンテナ１がアンテナエレメント１ａおよびコイル１ｂのほかにコンデンサ１ｄと第２のコイル１ｅとの両方を備える例について説明した。また、第３の実施形態では、アンテナ１がアンテナエレメント１ａおよびコイル１ｂのほかにコンデンサ１ｄを備える例について説明した。しかし、本発明はこれらの例に限定されるものではない。例えば、アンテナ１がアンテナエレメント１ａおよびコイル１ｂのほかに第２のコイル１ｅを備えるものであっても良い。
また、上記第１および第２の実施形態では、携帯電話機が携帯電話部２の他にＦＭチューナ部３を備える例について説明した。また、上記第３および第４の実施形態では、携帯電話機が携帯電話部２の他にＦＭトランスミッタ部４を備える例について説明した。しかし、本発明はこれらの実施形態に限定されるものではない。すなわち、携帯電話機が携帯電話部２の他にＦＭチューナ部３およびＦＭトランスミッタ部４の双方を備えるものであっても良い。
この場合のアンテナ１は少なくとも、アンテナエレメント１ａと、コイル１ｂと、コンデンサ１ｄまたは第２のコイル１ｅの何れか一方とを備えて構成される。コンデンサ１ｃを更に備えても良いし、コンデンサ１ｄおよびコイル１ｅの両方を備えても良い。
また、上記第１〜第４の実施形態では、第１の周波数帯が携帯電話用の周波数帯で、第２の周波数帯がＦＭの周波数帯である例について説明したが、本発明はこれに限定されない。携帯電話用の周波数帯はＵＨＦ帯に属し、ＦＭの周波数帯はＶＨＦ帯に属するが、ＶＨＦ帯に属する他の用途として、例えばテレビジョン放送用の周波数帯を第２の周波数帯として用い、ＦＭチューナ部３の代わりにテレビジョンチューナ部を備えるようにしても良い。また、第２の周波数帯はＶＨＦ帯に限らない。例えば、中波帯のＡＭ放送用、マイクロ波帯の衛星放送／衛星通信用、無線ＬＡＮやブルートゥース用などを第２の周波数帯として用いても良い。
また、上記第１〜第４の実施形態では、携帯端末の例として携帯電話機を挙げ、第１の周波数帯として携帯電話用の周波数帯を用いる例について説明したが、本発明はこれに限定されない。すなわち、携帯電話と同じＵＨＦ帯に属するテレビジョン放送用、無線ＬＡＮやブルートゥース用などを第１の周波数帯として用いても良いし、ＵＨＦ帯以外の周波数帯を第１の周波数帯として用いても良い。例えば、携帯端末として、テレビジョン放送受信機能とＦＭ放送受信機能とを内蔵したＰＤＡ（Ｐｅｒｓｏｎａｌ  Ｄｉｇｉｔａｌ  Ａｓｓｉｓｔａｎｔｓ）などを用い、第１の周波数帯としてテレビジョン放送用の周波数帯、第２の周波数帯としてＦＭ放送用の周波数帯を用いることも可能である。
以上のように、第１〜第４の実施形態において適用可能な第１の周波数帯と第２の周波数帯との組み合わせは任意であるが、ＶＨＦ帯とＵＨＦ帯との組み合わせなど、異なる周波数帯の組み合わせであることが望ましい。また、第１の周波数帯の方が第２の周波数帯よりも高いことが必要である。図５は、電波と周波数帯の代表的な利用例を示す図である。この図５に示される周波数帯のうち異なる周波数帯どうしを組み合わせることが好ましい。ただし、異なる周波数帯の組み合わせであることは必須の条件ではなく、２つの周波数帯が充分に相違していれば、１つのアンテナ１で２つの異なる周波数帯の信号を安定的に送受信することが可能であるので、同じ周波数帯の中での組み合わせも適用することが可能である。
その他、上記第１〜第４の実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】  本発明の携帯端末用アンテナは、例えば、ＦＭ放送受信機能やＦＭ変調送信機能などを内蔵した携帯電話機など、２つの異なる周波数帯の信号を受信または送信する機能を内蔵した携帯端末に有用である。
【図１】
2006033187.tif 000002
【図２】
2006033187.tif 000003
【図３】
2006033187.tif 000004
【図４】
2006033187.tif 000005
【図５】
2006033187.tif 000006
【国際調査報告】
2006033187.tif 000007
2006033187.tif 000008
2006033187.tif 000009
2006033187.tif 000010